(57)【要約】【課題】本発明はレンズモジュールを提供する。【解決手段】レンズモジュールは、鏡筒と鏡筒に収容されるレンズ群と備え、レンズ群は、少なくとも物体側から像側へ配列される第１レンズと第２レンズとを備え、鏡筒は、第１筒壁と第２筒壁とを備え、第１レンズは、第１光学部と第１光学部を取り囲む第１周辺部とを備え、第１筒壁は、像側に近い表面において、第１筒壁と第２筒壁との接続箇所から光軸方向へ水平延在する第１平面と、第１平面から光軸へ且つ物体側へ傾斜延在する第１斜面と、第１斜面に連なる第２平面とを備え、第１周辺部の物体側面は、第３平面と、第３平面に連なる第２斜面と、第４平面とを備え、第１平面は、第３平面に貼り合わせ、第１斜面は、第２斜面に貼り合わせ、第２平面は、第４平面と間隔をあけて設けられる。本発明のレンズモジュールは、第１レンズと鏡筒の支持面との重なり面積を増大させ、組立歩留まりを著しく向上させる。【選択図】図１
2020027288.tif 000002
【特許請求の範囲】
【請求項１】
鏡筒と、鏡筒に収容されるレンズ群と備え、前記レンズ群は、少なくとも物体側から像側にかけて配列される第１レンズと第２レンズとを備え、前記鏡筒は、通光孔が形成される第１筒壁と、前記第１筒壁から折り曲げて延在する第２筒壁とを備え、前記第１筒壁は、物体側に近接する第１表面と、像側に近接する第２表面とを備え、前記第１レンズは、第１光学部と、前記第１光学部を取り囲む第１周辺部とを備えるレンズモジュールであって、
前記第２表面は、第１筒壁と第２筒壁との接続箇所から光軸方向へ水平延在する第１平面と、前記第１平面から光軸へ、且つ物体側へ傾斜延在する第１斜面と、前記第１斜面から光軸へ水平延在する第２平面とを備え、
前記第１周辺部の物体側面は、第１周辺部の縁部から光軸方向へ水平延在する第３平面と、前記第３平面から光軸へ、且つ物体側へ傾斜延在する第２斜面と、前記第２斜面から光軸へ水平延在する第４平面とを備え、
前記第１平面は、前記第３平面に貼り合わされており、前記第１斜面は、前記第２斜面に貼り合わされており、前記第２平面は、前記第４平面と間隔をあけて設けられ、
前記第１レンズは、ガラスレンズである、ことを特徴とするレンズモジュール。
【請求項２】
前記第１平面は、前記第３平面に部分的に貼り合わされており、前記第１斜面は、前記第２斜面に部分的に貼り合わされている、ことを特徴とする請求項１に記載のレンズモジュール。
【請求項３】
前記第１レンズの外縁は、前記第２筒壁の内壁面と間隔をあけて設けられている、ことを特徴とする請求項２に記載のレンズモジュール。
【請求項４】
前記第１レンズは、第３平面から光軸方向において垂直延在する接続面をさらに備え、前記第２筒壁の内壁面は、前記接続面と平行に設けられる第１垂直面を備え、
前記第１垂直面は、前記接続面と間隔をあけて設けられている、ことを特徴とする請求項３に記載のレンズモジュール。
【請求項５】
前記第１斜面は、光軸方向と第１夾角を形成し、前記第２斜面は、光軸方向と第２夾角を形成し、第１夾角は、第２夾角と等しい、ことを特徴とする請求項２に記載のレンズモジュール。
【請求項６】
前記第１夾角は、０°以上且つ９０°未満である、ことを特徴とする請求項５に記載のレンズモジュール。
【請求項７】
前記第２レンズは、ガラスレンズ又はプラスチックレンズである、ことを特徴とする請求項１に記載のレンズモジュール。
【発明の詳細な説明】
【技術分野】
【０００１】
本発明は、撮像レンズ分野に関し、特にレンズモジュールに関する。
【背景技術】
【０００２】
科学技術が絶えず発展していることに伴い、電子装置が絶えずスマート化へと発展しており、デジタルカメラを除き、携帯型電子装置、例えばタブレットパソコン、携帯電話などにもレンズモジュールが配置されている。人々の使用の需要を満たすために、レンズモジュールで撮影される物体の映像の質が、より高く要求されている。
【発明の概要】
【発明が解決しようとする課題】
【０００３】
しかしながら、従来の混合レンズでは、１枚目のレンズがガラスレンズであり、外径の精度が保証できないため、レンズを鏡筒と嵌合する必要があり、この第１レンズと鏡筒との接触面が平面であり、第１レンズの像側面、物体側面には、支持面が明らかにずれているため、組立時に明らかな力伝達の問題があり、組立が不安定である。
従って、新型のレンズモジュールを提供する必要がある。
【課題を解決するための手段】
【０００４】
上記問題を解決するために、本発明は、レンズモジュールを提供し、当該レンズモジュールは、鏡筒と、鏡筒に収容されるレンズ群とを備え、前記レンズ群は、少なくとも物体側から像側にかけて配列される第１レンズおよび第２レンズを備え、前記鏡筒は、通光孔が形成される第１筒壁と、前記第１筒壁から折り曲げて延在する第２筒壁とを備え、前記第１筒壁は、物体側に近接する第１表面と、像側に近接する第２表面とを備え、前記第１レンズは、第１光学部と、前記第１光学部を取り囲む第１周辺部とを備え、前記第２表面は、第１筒壁と第２筒壁との接続箇所から光軸方向へ水平延在する第１平面と、前記第１平面から光軸へ、且つ物体側へ傾斜延在する第１斜面と、前記第１斜面から光軸へ水平延在する第２平面とを備え、前記第１周辺部の物体側面は、第１周辺部の縁部から光軸方向へ水平延在する第３平面と、前記第３平面から光軸へ、且つ物体側へ傾斜延在する第２斜面と、前記第２斜面から光軸へ水平延在する第４平面とを備え、前記第１平面は、前記第３平面に貼り合わされており、前記第１斜面は、前記第２斜面に貼り合わされており、前記第２平面は、前記第４平面と間隔をあけて設けられ、前記第１レンズは、ガラスレンズである。
【０００５】
１種の改良として、前記第１平面は、前記第３平面に部分的に貼り合わされており、前記第１斜面は、前記第２斜面に部分的に貼り合わされている。
【０００６】
１種の改良として、前記第１レンズの外縁は、前記第２筒壁の内壁面と間隔をあけて設けられている。
【０００７】
１種の改良として、前記第１レンズは、第３平面から光軸方向において垂直延在する接続面をさらに備え、前記第２筒壁の内壁面は、前記接続面と平行に設けられる第１垂直面を備え、前記第１垂直面は、前記接続面と間隔をあけて設けられている。
【０００８】
１種の改良として、前記第１斜面は、光軸方向と第１夾角を形成し、前記第２斜面は、光軸方向と第２夾角を形成し、第１夾角は、第２夾角と等しい。
【０００９】
１種の改良として、前記第１夾角は、０°以上且つ９０°未満である。
【００１０】
１種の改良として、前記第２レンズは、ガラスレンズ又はプラスチックレンズである。
【発明の効果】
【００１１】
本発明により奏する有益な効果は以下の通りである。
本発明に係るレンズモジュールでは、第１レンズと鏡筒の内壁面との嵌合構造により、第１レンズと鏡筒の支持面との重なり面積を増大させ、組み立て時に、力を安定的に伝達することができ、組立の歩留まりを著しく向上させることができる。
【図面の簡単な説明】
【００１２】
【図１】本発明に係るレンズモジュールの構造を示す断面模式図である。
【図２】本発明に係る鏡筒の構造を示す断面模式図である。
【図３】本発明に係るレンズモジュールにおける第１レンズの構造模式図である。
【発明を実施するための形態】
【００１３】
以下、本発明の技術案およびその各方面における利点をより良く理解できるように、具体的な実施形態で図面を参照しながら、本発明をさらに詳しく説明する。以下の実施例では、紙面における左右方向を水平方向と称し、紙面における水平方向と垂直な方向、即ち、紙面における上下方向を垂直方向と称す。
【００１４】
図１に示すように、本発明はレンズモジュールを提供し、当該レンズモジュールは、鏡筒１と、鏡筒１内に収容されるレンズ群２と、遮光部材３を備え、ここで、レンズ群２は、少なくとも物体側から像側にかけて配列される第１レンズ２１と第２レンズ２２とを備える。
【００１５】
図１と図２に示すように、鏡筒１は、通光孔１７が形成され、且つ水平方向に延在する第１筒壁１１と、第１筒壁１１から折り曲げて延在する第２筒壁１２と、第１筒壁１１および第２筒壁１２が囲んで形成される収容空間１３とを備え、ここで、第１筒壁１１は、物体側に近接する第１表面と、像側に近接する第２表面とを備え、第１筒壁１１の第２表面は、第１筒壁１１と第２筒壁１２との接続箇所から光軸Ｘ方向へ水平延在する第１平面１４と、第１平面１４から光軸Ｘへ、且つ物体側へ傾斜延在する第１斜面１５と、第１斜面１５から光軸方向へ水平延在する第２平面１６とを備え、第２筒壁１２は、光軸Ｘ側に近接する内壁面と、この内壁面とは反対側の外壁面とを備え、ここで、第２筒壁１２の内壁面は、第１水平面１４から光軸Ｘ方向において垂直延在する第１垂直面１２１を備える。
【００１６】
本実施形態では、レンズ群２は、物体側から像側にかけて順に積み重ねて互いに嵌合される第１レンズ２１、第２レンズ２２、第３レンズ２３、第４レンズ２４、第５レンズ２５および第６レンズ２６を備え、第１レンズ２１は、第１光学部２７と、第１光学部２７を取り囲む第１周辺部２８とを備え、他のレンズは、いずれも光学部と、光学部の周囲に設けられる周辺部とを備える。他の実施形態では、必要に応じて、異なる数のレンズが設けられてもよく、第１レンズ２１はガラスレンズであり、第２レンズ２２、第３レンズ２３および第４レンズ２４などの他のレンズはガラスレンズであってもよいし、プラスチックレンズ又は他の材質のレンズであってもよい。
【００１７】
図３に示すように、第１レンズ２１は、第１表面と、第１表面に対向する第２表面とを備え、第１表面は、第１レンズ２１の上表面、即ち物体側面２１Ａであり、第２表面は、第１レンズ２１の下表面、即ち像側面２１Ｂである。第１レンズ２１の第１周辺部２８の物体側面２１Ａは、第１筒壁１１の第２表面に嵌合する第１嵌合部２９を備え、この第１嵌合部２９は、第１周辺部２８の縁部から光軸Ｘ方向へ水平延在する第３平面２９１と、第３平面２９１から光軸へ、且つ物体側へ傾斜延在する第２斜面２９２と、第２斜面２９２から光軸へ水平延在する第４平面２９３とを備え、第１平面１４は、第３平面２９１と部分的に貼り合わされており、第１レンズ２１の外縁は、第２筒壁１２の内壁面と間隔をあけて設けられ、具体的に、第１レンズ２１は、物体側面２１Ａと像側面２１Ｂ（上表面と下表面）とを接続する接続面２１１をさらに備え、接続面２１１は、第１垂直面１２１と間隔をあけて設けられ、第１斜面１５は、第２斜面２９２と部分的に貼り合わされており、第２平面１６は、第４平面２９３と間隔をあけて設けられている。
【００１８】
さらに、第１平面１４と第１斜面１５によって、第１レンズ２１へ突起する突起部が形成され、第３平面２９１と第２斜面２９２によって、切り欠き部が形成される。第１レンズ２１と鏡筒１１との組み立てを実現するために、上記突起部と上記切り欠き部によって、凹凸嵌合が形成される。第１斜面１５は、垂直方向（即ち、光軸Ｘ方向）と第１夾角αを形成し（具体的に、図２を参照）、第２斜面２９２は、垂直方向（即ち、光軸Ｘ方向）と第２夾角βを形成し（具体的に、図３を参照）、第１夾角αは第２夾角βと等しく、第１夾角αの範囲は、０°以上、且つ９０°未満である。
【００１９】
また、第１レンズ２１の像側面２１Ｂは、接続面２１１から光軸Ｘへ水平延在する第５平面と、第５平面から光軸Ｘ方向へ、且つ物体側へ傾斜延在する第３斜面と、第５平面から光軸Ｘへ水平延在する第６平面とを備え、第５平面と第３斜面によって、第２レンズ２２と嵌合する第２嵌合部が形成され、本実施形態では、遮光部材３は、第１レンズ２１と第２レンズ２２との間における隙間に介在して設けられ、且つ直接に第６平面に支持されているため、遮光部材３の組立の歩留まりを保証し、遮光部材３の外径寸法も減少し、具体的に、図１を参照するとよい。
【００２０】
本実施形態では、第２レンズ２２と第３レンズ２３との間に、第３レンズ２３と第４レンズ２４との間に、第４レンズ２４と第５レンズ２５との間に、いずれも遮光シートが設けられ、第５レンズ２５と第６レンズ２６との間に、遮光シートと遮光板が設けられている。なお、遮光部材３は遮光シートであってもよいが、遮光板であってもよく、実際の需要に応じて、レンズ間に遮光シートおよび／または遮光板が設けられてもよい。
【００２１】
また、第６レンズ２６を鏡筒１１と組み立てるとき、第６レンズ２６の周辺部で押圧リング又は接着剤による接着の方式で固定して、レンズモジュール全体の組み立てを完了する。
【００２２】
従来技術に比べ、本発明に係るレンズモジュールでは、第１レンズと鏡筒の内壁面との嵌合構造により、第１レンズと鏡筒の支持面との重なり面積を増大させ、組み立て時に、力を安定的に伝達することができ、組立の歩留まりを著しく向上させることができる。
【００２３】
上述したのは、本発明の実施形態に過ぎず、当業者にとって、本発明の創造的構想を逸脱しない前提で、種々の改良も行ってもよいが、これらは、いずれも本発明の保護範囲に含まれると理解されるべきである。
【図１】
2020027288.tif 000003
【図２】
2020027288.tif 000004
【図３】
2020027288.tif 000005